(57)【要約】【課題】外観上天然貝であって、天然の貝のような様々な大きさ、硬さ、形を備えており、釣りの面白さを実現することができ、かつ魚のアタリもよい、新規な擬似餌の構成を提供する。【解決手段】  天然の貝の中身を取り出した貝殻の中に合成樹脂を封入した擬似餌であり、カラス貝又はフジツボを使用し、複数の貝殻を合成樹脂によってだんご状に結合することができ、前記合成樹脂としてはシリコン樹脂も用いることができ、必要により、前記合成樹脂に重量調整用の鉄粉、砂よりなる重量体又は発泡物よりなる軽量体が混入でき、また擬似餌に天然の餌の臭いを付着することができる。【選択図】図１
0003143470.tif 000002
【実用新案登録請求の範囲】
【請求項１】
天然の貝の中身を取り出した貝殻の中に合成樹脂を封入したことを特徴とする擬似餌。
【請求項２】
前記天然の貝がカラス貝又はフジツボである請求項１に記載の擬似餌。
【請求項３】
複数の貝殻が合成樹脂によってだんご状に結合された請求項１又は２に記載の擬似餌。
【請求項４】
前記合成樹脂がシリコン樹脂である請求項１ないし３のいずれか１項に記載の擬似餌。
【請求項５】
前記合成樹脂に重量調整用の鉄粉、砂よりなる重量体又は発泡物よりなる軽量体が混入された請求項１ないし４のいずれか１項に記載の擬似餌。
【請求項６】
天然の餌の臭いが付着された請求項１ないし５のいずれか１項に記載の擬似餌。
【考案の詳細な説明】
【技術分野】
【０００１】
この考案は擬似餌に関し、特には黒鯛釣りなどに使用される貝の擬似餌に関する。
【背景技術】
【０００２】
例えば黒鯛はフジツボやカラス貝などの天然の貝を好んで補食する習性がある。しかしながら、例えばカラス貝といっても様々な大きさ、硬さ、形があり、季節や場所によって魚が好むものを適宜選択する必要がある。
【０００３】
一方において、天然の貝は一年通じて入手することが困難であるばかりでなく、保存しようとしても腐敗してしまう。また、釣り餌として適当な貝の大きさ、硬さ、形などをその都度選ぶことも難しい。
【０００４】
これに対して、近年、プラスチック成形品による擬似餌が提案されているが、成形品にあっては、いかに精巧であっても天然貝と同等というわけにはいかず、また天然の貝のような様々な大きさ、硬さ、形などが製作できず、釣りの面白さを実現することができない。また、魚のアタリも満足なものではなかった。
【特許文献１】特開２００８−２９２２８号公報
【考案の開示】
【考案が解決しようとする課題】
【０００５】
この考案はこのような点に鑑みなされたものであり、外観上天然貝であって、天然の貝のような様々な大きさ、硬さ、形を備えており、釣りの面白さを実現することができ、かつ魚のアタリもよい、新規な擬似餌の構成を提供するものである。
【課題を解決するための手段】
【０００６】
すなわち、請求項１の考案は、天然の貝の中身を取り出した貝殻の中に合成樹脂を封入したことを特徴とする擬似餌に係る。
【０００７】
請求項２の考案は、前記天然の貝がカラス貝又はフジツボである請求項１に記載の擬似餌に係る。
【０００８】
請求項３の考案は、複数の貝殻が合成樹脂によってだんご状に結合された請求項１又は２に記載の擬似餌に係る。
【０００９】
請求項４の考案は、前記合成樹脂がシリコン樹脂である請求項１ないし３のいずれか１項に記載の擬似餌に係る。
【００１０】
請求項５の考案は、前記合成樹脂に重量調整用の鉄粉、砂よりなる重量体又は発泡物よりなる軽量体が混入された請求項１ないし４のいずれか１項に記載の擬似餌に係る。
【００１１】
請求項６の考案は、天然の餌の臭いが付着された請求項１ないし５のいずれか１項に記載の擬似餌に係る。
【考案の効果】
【００１２】
請求項１の考案に係る擬似餌によれば、天然の貝の中身を取り出した貝殻の中身に、合成樹脂を封入するものであるから、外観上天然貝であって、天然の貝のような様々な大きさ、硬さ、形を備えており、釣りの面白さを実現することができ、かつ魚のアタリもよい。加えて、中身が腐敗することなく、一年を通しての使用、保存が可能である。さらに、中身が合成樹脂なので針を刺すときに手が汚れない。
【００１３】
請求項２の考案は、請求項１において、天然の貝がカラス貝又はフジツボである場合には、とりわけ人気の高い黒鯛釣りなどの餌として好ましく使用されることができる。
【００１４】
請求項３の考案は、請求項１または２において、複数の貝殻が合成樹脂によってだんご状に結合されたものであるから、たとえば天然のカラス貝の稚貝をだんご状に結合して、魚が好む餌とすることができる。この場合において、合成樹脂によって結合するので、結合が簡単でかつだんごの結合力が大きく、また釣り針の装着も容易になる。
【００１５】
請求項４の考案は、請求項１ないし３において、天然のカラス貝又はフジツボの貝殻に注入される合成樹脂がシリコン樹脂であるから、製作が簡単かつ容易である。また、素手で擬似餌に触れても汚れることはない。
【００１６】
請求項５の考案は、請求項１ないし４において、合成樹脂に重量調整用の鉄粉、砂よりなる重量体、又は発泡物よりなる軽量体を混入するものであるから、これにより擬似餌全体の重量や浮力を調整することができる。特に、水中での落下速度などを調整して、魚の餌に対するアタリを向上させることができる。また、貝を餌として使用する場合には、落下中に貝が回転することがあるが、重量調節材によって、貝の回転も防ぐことができる。
【００１７】
請求項６の考案は、請求項１ないし５において、天然の餌の臭いが付着されたものであるから、本物の貝のように、餌として優れた効果を発揮することができる。
【考案を実施するための最良の形態】
【００１８】
以下添付の図面に従ってこの考案を詳細に説明する。
図１はカラス貝の貝殻を使用した擬似餌の斜視図、図２は図１の擬似餌の断面図、図３は４つの貝殻をだんご状に結合した擬似餌の斜視図、図４は図３のだんご状擬似餌の断面図、図５はフジツボの貝殻を使用した擬似餌の斜視図、図６は図５の擬似餌の断面図、図７はカラス貝の貝殻を使用した擬似餌に釣り針を装着した状態の斜視図、図８は４つの貝殻をだんご状に結合した擬似餌に釣り針を装着した状態の斜視図、図９はフジツボの貝殻を使用した擬似餌に釣り針を装着した状態の斜視図である。
【００１９】
図１及び図２に図示したように、この考案の擬似餌Ｋは、天然の貝、図示ではカラス貝の中身を取り出した貝殻１０（１０ａ、１０ｂ）の中に合成樹脂２０を封入して構成したことを特徴としている。貝殻１０（１０ａ、１０ｂ）に封入される樹脂はシリコン樹脂が扱いやすく簡便である。図２のように、合成樹脂２０は貝殻１０の中の充満されて２枚貝１０ａ、１０ｂを一体に結合している。
【００２０】
図２において符号３０は合成樹脂（シリコン樹脂）２０内に混入されている重量調節材を表し、鉄粉又は砂よりなる重量体３１、又は球状の発泡スチロール等の発泡物よりなる軽量体３２よりなる。前記したように、これらの重量調節材３０を合成樹脂２０内に混入することによって、擬似餌全体の重量・浮力調節を行い、水中での擬似餌Ｋと魚とのアタリを調整する。また、貝が回転しないようにする。
【００２１】
さらに、擬似餌Ｋに臭いを付けることも可能である。臭い付けは、例えば、黒鯛用であれば、カラス貝・フジツボ・ウニ殻・オキアミ・さなぎ・アミノ酸等のエキスを混ぜたものの中に、擬似餌Ｋを３〜５日つけ込むことによって行う。黒鯛の好む臭いを付着させることで、釣り餌として、より高い性能を発揮することが可能になる。なお、実施例の擬似餌Ｋであるカラス貝のサイズは、最小のＳサイズ（長さ１．３〜１．６ｃｍ、重さ０．３〜０．５ｇ）から最大の３Ｌサイズ（長さ２．６〜３．０ｃｍ、重さ１．６ｇ〜）まで６段階と多種類とすることができる。
【００２２】
図３に示した擬似餌Ｄは、天然のカラス貝の貝殻１２、１３、１４、１５で形成された擬似餌を、４つ使用してだんご状に結合したものである。中身を取り除いたカラス貝の貝殻１２，１３，１４，１５の中に、シリコン樹脂２１が注入され、各貝殻は中身と同じ合成樹脂４０で結合されている。合成樹脂４０でだんご状に結合されているので、水中を落下させるときに、だんごがばらけたり開いたりして、釣り針がむき出しになることはない。だんご状擬似餌Ｄは、貝殻に釣り針を通すことなく、釣り針を全方向から容易に装着することが可能である。
【００２３】
シリコン樹脂２１には、前記擬似餌Ｋと同様に、必要に応じて重量調節材３０である重量体３１又は軽量体３２を混入することができる。また、擬似餌Ｄに魚が好む臭いを付着させることもできる。図３又は図４の擬似餌Ｄは、４つのカラス貝の稚貝がだんご状に形成されているが、使用する貝の個数を限定するものではない。なお、実施例の擬似餌Ｄのだんご状カラス貝のサイズは、最小のＳサイズ（長さ０．９〜１．０ｃｍ、重さ０．４〜０．７ｇ）から最大のＬサイズ（長さ１．３〜１．５ｃｍ、重さ１．１〜１．５ｇ）まで３段階の種類がある。
【００２４】
図５又は図６は天然のフジツボの貝殻を使用した擬似餌Ｆを示している。中身を取り除いたフジツボの貝殻１６の中に、シリコン樹脂２２を注入する。シリコン樹脂２２の中には、前記擬似餌Ｋ、Ｄと同様に、重量調節材３０としての重量体３１又は軽量体３２を混入することができる。擬似餌Ｆに魚が好む臭いを付着させることもできる。実施例の擬似餌Ｆであるフジツボのサイズは、最小のＳサイズ（長さ０．９〜１．１ｃｍ、重さ０．３〜０．５ｇ）から最大の３Ｌサイズ（長さ２．６〜３．０ｃｍ、重さ１．９ｇ〜）まで６段階と多種類に構成されている。
【００２５】
図７ないし図９は、擬似餌Ｋ、Ｄ、Ｆに釣り針を装着した具体例を示している。図７または図９において、貝殻の内部のシリコン樹脂２０、２２に釣り針が貫通しており、シリコンの弾力性によって、釣り針が抜けにくくなっている。また、図８は合成樹脂に釣り針を通すことから、装着時の貝殻に穴を開ける等の手間を省くことができる。図の符号５０は釣り針、５１はおもりである。
【図面の簡単な説明】
【００２６】
【図１】カラス貝の貝殻を使用した擬似餌の斜視図である。
【図２】図１の擬似餌の断面図である。
【図３】４つの貝殻をだんご状に結合した擬似餌の斜視図である。
【図４】だんご状擬似餌の断面図である。
【図５】フジツボの貝殻を使用した擬似餌の斜視図である。
【図６】図５の擬似餌の断面図である。
【図７】カラス貝の貝殻を使用した擬似餌を釣り針に装着した状態の具体例である。
【図８】４つの貝殻をだんご状に結合した擬似餌に釣り針を装着した状態の斜視図である。
【図９】フジツボの貝殻を使用した擬似餌に釣り針を装着した状態の斜視図である。
【符号の説明】
【００２７】
１０  カラス貝の貝殻
１０ａ  カラス貝上殻
１０ｂ  カラス貝下殻
１５  フジツボの貝殻
２０  シリコン樹脂
３０  重量調節材
３１  重量体
３１  軽量体
４０  合成樹脂
５０  釣り針
５１  おもり
Ｋ  カラス貝の擬似餌
Ｄ  だんご状の擬似餌
Ｆ  フジツボの擬似餌
【図１】
0003143470.tif 000003
【図２】
0003143470.tif 000004
【図３】
0003143470.tif 000005
【図４】
0003143470.tif 000006
【図５】
0003143470.tif 000007
【図６】
0003143470.tif 000008
【図７】
0003143470.tif 000009
【図８】
0003143470.tif 000010
【図９】
0003143470.tif 000011